(57)【特許請求の範囲】
【請求項１】
後脚部材と、前脚部材と、これら後脚部材及び前脚部材に設けられた回転支持部材によって支持される座と、前記後脚部材に挿抜可能に嵌め込まれた左右のスライド部材と、それらスライド部材の上端に設けられ前記前脚部材に回転可能に支持された左右の支持部材とを備え、これら左右の支持部材を介して後脚部材を前脚部材に対して回転可能に支持させ、これら後脚部材の下方に設けられた水平フレーム部分と前脚部材の下方部分に設けられた水平フレーム部分とが前後に間隔を広げた使用状態位置から閉じた状態に折り畳めるように構成され、前記後脚部材が、左右の縦フレームの間隔を前脚部材の縦フレームの間隔よりも若干大きくすることによって、前記閉じた状態に折り畳んだ時における厚み方向の寸法を小さくするようにしたものであり、
前記支持部材が、前記スライド部材と一体成形してなるものであるとともに、前記スライド部材が、縦長方向に沿って複数本の溝部を設けてなるものであり、一方の支持部材の側部に設けられた爪部と、他方の支持部材の側部に設けられた凹部とを具備し、前記爪部と凹部とを係わり合わせて隣接する椅子を連結させる椅子であって、
前記爪部が、前記支持部材の側方に突出して設けられ、隣接して設けられる椅子の方向に向けて支持部材から延びる補強片を設けたものであり、
前記凹部の内側に底部を設けるとともに、側壁部に補強片を挿入するためのスリットを設けていることを特徴とする椅子。
【請求項２】
請求項１記載の椅子において、
前記凹部の内側に、前記底部に向かって傾斜するテーパ部を設けたことを特徴とする椅子。
【請求項３】
請求項１記載の椅子において、
前記爪部に、先端側に向けて傾斜するテーパ部を設けたことを特徴とする椅子。
【請求項４】
前記後脚部材と前脚部材とを開閉することによりスライドするスライド部材の上端に設けられた支持部材に、前記爪部と凹部を設けたことを特徴とする請求項１、２又は３記載の椅子。
【発明の詳細な説明】
【０００１】
【発明の属する技術分野】
本発明は、椅子の構造に関するものであり、より具体的には同種のタイプの椅子を複数連結することができるようにした椅子に関するものである。
【０００２】
【従来の技術】
現在、会議室やホールなどで使用されている椅子として、左右方向に設けられた椅子を複数連結して整列できるようにしたものが存在する。このような椅子は、一方の側部にフック状の部材を突出して設け、また、これに対応して、他方の側部に貫通した開口部を有する開口部材や曲げ部材を設けて、これらのフック状の部材を係わり合わせて連結するようにしたものである。
【０００３】
【発明が解決しようとする課題】
ところが、このような椅子における開口部材は、筒状もしくはリング状に開口した形状に構成されており、また、曲げ部材も同様に、単に金属部材などを折り曲げて構成されているため、その部分における強度が弱くなる傾向がある。すなわち、これらの開口部材や曲げ部材は、椅子の側方に小さく形成する必要があるため、これに伴って各部材の肉厚が薄くなる一方、連結した椅子のそれぞれに相反する力が加えられた場合、この連結部分に対する荷重が集中するため、その連結部分が変形・破損する可能性がある。また、逆にこのような開口部材などにおける肉厚部分を厚く構成して強度を保たせるようにすることもできるが、このように構成した場合は、開口部分が小さくなるため、この部分に係わり合うフック状の部材の肉厚が薄くなってしまい、フック状の部材の強度が弱くなってしまう。
【０００４】
そこで、本発明は上記課題を解決するために、連結部分に対する形状を工夫することにより、連結部分に対する強度を持たせ、変形や破損を防止できるようにした椅子を提供することを目的としている。
【０００５】
【課題を解決するための手段】
すなわち、本発明の椅子は、上記課題を解決するためになされたものであり、後脚部材と、前脚部材と、これら後脚部材及び前脚部材に設けられた回転支持部材によって支持される座と、前記後脚部材に挿抜可能に嵌め込まれた左右のスライド部材と、それらスライド部材の上端に設けられ前記前脚部材に回転可能に支持された左右の支持部材とを備え、これら左右の支持部材を介して後脚部材を前脚部材に対して回転可能に支持させ、これら後脚部材の下方に設けられた水平フレーム部分と前脚部材の下方部分に設けられた水平フレーム部分とが前後に間隔を広げた使用状態位置から閉じた状態に折り畳めるように構成され、前記後脚部材が、左右の縦フレームの間隔を前脚部材の縦フレームの間隔よりも若干大きくすることによって、前記閉じた状態に折り畳んだ時における厚み方向の寸法を小さくするようにしたものであり、前記支持部材が、前記スライド部材と一体成形してなるものであるとともに、前記スライド部材が、縦長方向に沿って複数本の溝部を設けてなるものであり、一方の支持部材の側部に設けられた爪部と、他方の支持部材の側部に設けられた凹部とを具備し、前記爪部と凹部とを係わり合わせて隣接する椅子を連結させる椅子であって、前記爪部が、前記支持部材の側方に突出して設けられ、隣接して設けられる椅子の方向に向けて支持部材から延びる補強片を設けたものであり、前記凹部の内側に底部を設けるとともに、側壁部に補強片を挿入するためのスリットを設けているようにしたのである。このように凹部の内側に底部を設けるとともに爪部に補強片を設けたので、凹部や爪部を小型化した場合であっても、その連結部における強度を保つことができるようになる。
【０００６】
また、更に、この爪部の前後方向に肉厚幅が狭くなるようなテーパ部を設け、もしくは、凹部の内側にもテーパ部を設けるようにすれば、凹部や爪部に極度の集中加重が加えられた場合であっても、このテーパ部の傾斜によって凹部との係わり合いが外れ、集中加重を逃がすことによって連結部分の変形や破損などを防止することができる。
【０００７】
更に、折り畳みによってスライドするスライド部材の上端に設けられた支持部材に設けるようにしているので、爪部や凹部をそれぞれ個別に取り付ける必要がなく、製造時における組み立て時間の短縮化を図ることができる。
【０００８】
【発明の実施の形態】
以下、本発明の一実施の形態について図面を参照して説明する。
【０００９】
図１は、本発明における椅子の一例である折り畳み椅子Ａの正面図を示したものであり、図２および図３は、この折り畳み椅子Ａの右側面図および左側面図を示したものである。また、図４は、折り畳み椅子Ａを折り畳んだ状態を示したものであり、図５は、この折り畳み椅子Ａを連結させた状態を示したものである。
【００１０】
この折り畳み椅子Ａは、前脚部材１と、後脚部材２と、この前脚部材１および後脚部材２によって支持される座７と、この座７の後端上方で前脚部材１の上部に取り付けられた背もたれ部３とを備えてなるものである。
【００１１】
この前脚部材１は、アルミパイプを枠状に折り曲げて構成したものであり、下方部分に水平フレーム部分１０を設けるとともに、この水平フレーム部分１０の両側部に設けた縦フレーム部分１１の上端にポリプロピレンや再生ポリエチレンなどによって構成された背もたれ部３を取り付けてなるものである。この水平フレーム部分１０は、接地面に沿うように水平に設けられたものであり、適宜この水平フレーム部分１０に樹脂などで構成した接地部材を取り付けて、着座時におけるガタつきを防止するようにしている。
【００１２】
また、縦フレーム部分１１の上端部分に取り付けられている背もたれ部３は、座７を折り畳み状態位置に回転させた場合に座７の前端部分が背もたれ部３に接触しないような位置に設けられており（図２・図３）、これによって座７を完全に前脚部材１の枠内に収まるようにして、折り畳み状態における厚み方向の寸法を小さくすることができるようにしている。また、この背もたれ部３は、着座時における背もたれ感を良くするために、左右方向に湾曲して中央部分を窪ませており、また、上下方向の形状についても下端部分を後方に湾曲させることによって、奥深く腰掛けられるようにしている。
【００１３】
この前脚部材１の高さ方向略中央部分には、後脚部材２を回転可能に支持する支持部材４を設け、この支持部材４を介して後脚部材２と前脚部材１を折り畳めるようにしている。
【００１４】
この後脚部材２は、前脚部材１と同様にアルミパイプを略Ｕ字状に折り曲げて構成したものであり、左右の縦フレーム２１の間隔を前脚部材１の縦フレーム１１の間隔よりも若干大きくすることによって、折り畳み時における干渉を防止して、折り畳み時における厚み方向の寸法を小さくするようにしている。また、この後脚部材２の下方に設けられた水平フレーム部分２０にも、前脚部材１と同様に樹脂などによって構成した接地部材を適宜取り付けられるようにしており、着座時にこれらの接地部材を弾性変形させることによってガタつきを防止するようにしている。
【００１５】
また、この後脚部材２の上端部分には、中空状のアルミパイプの内部に挿抜可能に嵌め込まれた樹脂製のスライド部材４０を設けており（図４）、このスライド部材４０と支持部材４を一体成形して、製造時における組み立て時間の短縮化を図るようにしている。このスライド部材４０は、後脚部材２の中空部分内側との接触面積を少なくするために縦長方向に沿って複数本の溝部４１を設けており、これによって折り畳み操作を行なう際の摩擦抵抗を少なくするようにしている。また、このスライド部材４０の上端に設けられた支持部材４には、左右に隣接して設けられた略同一形状の折り畳み椅子Ａをこの支持部材４で連結できるような爪部５と凹部６を設けたものである。すなわち、この支持部材４の一方には、図２・図３および図６・図７に示すように、側方に突出した縦長状の爪部５を設けるとともに、他方の支持部材４の側方に、この爪部５を係わり合わせるための凹部６を設けて連結できるようにしている。
【００１６】
この爪部５は、先端部に向かって前後方向の肉厚幅が狭くなるようなテーパ部５０を設けて構成したものであり、支持部材４の側方に突出して設けるとともに、隣接して設けられる折り畳み椅子Ａの方向に向けて支持部材４から延びる補強片５１を先端部まで設け、これによって爪部５の左右方向、すなわち、折り畳み椅子Ａの連結方向に集中荷重が加わった場合であっても、その方向への変形や破損を防止できるようにしている。また、他方の支持部材４に設けられる凹部６は、この爪部５を係わり合わせるためのテーパ部６０と、このテーパ部６０の下方に設けられた底部６２とを設け、更に、このテーパ部６０を隠すように設けた側壁部６１を設けて構成されるものであり、この側壁部６１に補強片５１を挿入するためのスリット６３を設けて爪部５を係わり合わせることができるようにしたものである。この側壁部６１は、少なくともテーパ部６０を有する部分から連続して形成されており、これによって、連結方向に対して集中荷重が加えられた場合であっても、その方向に対する変形・破損を防止するようにしている。また、底部６２を設けることによって、前後方向に対する力が加えられた場合であっても、その底部６２が補強部材となって前後方向に対する変形や破損を防止するようにしている。また、このように爪部５や凹部６に設けられたテーパ部５０・６０は、連結された折り畳み椅子Ａの前後方向に極度の相反する力が加えられた場合に、爪部５や凹部６が変形・破損しないように係わり合いを外して、その力を逃がすような角度に設定されており、具体的には、爪部５や凹部６の剛性・テーパ部５０、６２の摩擦係数などによって具体的に決定される角度に設定されている。
【００１７】
座７は、前脚部材１に設けられた回転支持部材７０と後脚部材２に設けられた回転支持部材７１とによって支持されるものであり、座７の前端部分から後端部分にかけて下方へ傾斜するように設定して、これらの回転支持部材７０・７１を介して座フレーム７２に取り付けるようにしたものである。この座フレーム７２は、座７の裏面に枠状に構成した金属部材によって構成されており、この金属製の座フレーム７２に前脚部材１と後脚部材２の回転支持部材７０・７１を連結することにより、着座時における荷重に耐えられるようにしたものである。なお、この座フレーム７２には、剛性を有する座シェル７３が取り付けられており、この座シェルをポリプロピレンと再生ポリエチレンによって形成することによって着座面に耐久性を持たせるようにしている。
【００１８】
次に、このように構成された折り畳み椅子Ａを複数連結する場合について説明する。
【００１９】
まず、折り畳み椅子Ａが折り畳まれている状態、すなわち、前脚部材１と後脚部材２とが完全に閉じており、かつ座７が起立している状態で、前脚部材１と後脚部材２とを持って各脚部の間隔が離れるようにする。この場合、前脚部材１と後脚部材２を持つ以外に、座７と前脚部材１、座７と後脚部材２、座７と背もたれ部３、背もたれ部３と後脚部材２などを持って各脚部の間隔が離れるようにすることもできる。そして、座７が略水平な状態、すなわち、使用状態位置となっている状態で、他の折り畳み椅子Ａも同様に各脚部の間隔を広げて座７を略水平な使用状態位置に設定する。そして、この状態で、隣接する一方の折り畳み椅子Ａを持ち上げて、この側部に設けられた爪部５を他方の折り畳み椅子Ａに設けられている凹部６に上方から係わり合わせる。また、これと同様に、必要な数の折り畳み椅子Ａについても同様に左右方向に連結し、利用者が着座できるようにする。
【００２０】
このように、上記実施の形態によれば、一方の側部に設けられた爪部５と、他方の側部に設けられた凹部６とを係わり合わせて隣接する折り畳み椅子Ａを連結させる折り畳み椅子Ａにおいて、凹部６の内側に底部６２を設けるようにしたので、連結部分に集中荷重が加わった場合に、この底部６２によってその荷重に対する補強を行なうことができ、これによって、連結部分を小型化してもある程度の強度を維持することができる。
【００２１】
また、この爪部５の前後方向に肉厚幅が狭くなるようなテーパ部５０を設け、また、凹部６にもこれに対応したテーパ部６０を設けるようにしたので、前後方向に対する極度の集中加重が加えられた場合、このテーパ部５０の傾斜によって凹部６との係わり合いが外れて、その集中加重を逃がすことができる。
【００２２】
また、このような爪部５や凹部６を折り畳み椅子Ａのスライド部材４０と一体成形するようにしたので、製造時における組み立て時間の短縮化を図ることができるようになる。
【００２３】
なお、本発明は上記実施の形態に限定されることなく、種々変更することができる。例えば、本実施の形態では、爪部５と凹部６の両方にテーパ部５０・６０を設けるようにしたが、これに限らず、いずれか一方にのみテーパ部を設けて逃げを許容するようにしても良い。また、本実施の形態では、下方に向けて前後方向の肉厚幅・空間幅が狭くなるようなテーパ部５０・６０を設けるようにしたが、これに限らず、左右方向の幅が狭くなるようなテーパ部を設けて、左右方向に対する集中加重に対する逃げを許容するようにしても良い。
【００２４】
【発明の効果】
本発明は、以上説明したような形態で実施され、以下に記載されるような効果を奏する。
【００２５】
すなわち、本発明の椅子は、前述したような構成であるので、このような凹部や爪部を小型化した場合であってもある程度の強度を維持することができる。
【００２６】
また、この爪部の前後方向に肉厚幅が狭くなるようなテーパ部を設け、もしくは、凹部の内側にも空間幅が狭くなるようなテーパ部を設けるようにすれば、爪部や凹部に極度の集中加重が加えられた場合であっても、このテーパ部の傾斜によって凹部との係わり合いが外れ、集中加重を逃がすことによって爪部や凹部の変形や破損などを防止することができる。
【００２７】
また、折り畳みによってスライドするスライド部材と一体成形するようにしたので、製造時における組み立て時間の短縮化を図ることができる。
【図面の簡単な説明】
【図１】本発明の一実施の形態を示す折り畳み椅子の正面図。
【図２】同実施の形態における折り畳み椅子の右側面図。
【図３】同実施の形態における折り畳み椅子の左側面図。
【図４】同実施の形態における折り畳み椅子を折り畳んだ状態を示す側面図。
【図５】図１における折り畳み椅子を連結させた状態を示す正面図。
【図６】同実施の形態における支持部材の要部拡大図。
【図７】同実施の形態における支持部材の要部拡大図。
【符号の説明】
Ａ・・・椅子（折り畳み椅子）
１・・・前脚部材
２・・・後脚部材
５・・・爪部
６・・・凹部
４０・・・支持部材
５０・・・テーパ部
６０・・・テーパ部
６２・・・底部
【図１】
0004963752.tif 000002
【図２】
0004963752.tif 000003
【図３】
0004963752.tif 000004
【図４】
0004963752.tif 000005
【図５】
0004963752.tif 000006
【図６】
0004963752.tif 000007
【図７】
0004963752.tif 000008